(57)【要約】【課題】用紙を効率よく使用でき、汎用の包装機で製函できる振出箱を提供する。【解決手段】前面板１、一対の側面板２及び後面板３を連設して周壁をなし、後面板３の上縁から天面板８を延出して、その前縁に抜差板９及び内入板１０を順次連設し、抜差板９に振出口１２を設け、天面板８の起伏に伴い、内入板１０が前面板１の内側に沿ってスライドしつつ、抜差板９が出没して、振出口１２が開閉するようにした振出箱において、前記側面板２の上縁と天面板８の側縁とを折込片１３で繋ぎ、この折込片１３に天面板８の基端角を起点とする斜折線１４を設け、折込片１３を斜折線１４が谷となるように折り込み、天面板８を起こすと、内入板１０の側縁が折込片１３に当接して、内入板１０の抜け出しが防止されるようにし、内入板１０の両側縁の抜止片を不要とする。【選択図】図３
2005132389.tif 000002
【特許請求の範囲】
【請求項１】
前面板１、一対の側面板２及び後面板３を連設して周壁をなし、後面板３の上縁から天面板８を延出して、その前縁に抜差板９及び内入板１０を順次連設し、抜差板９に振出口１２を設け、天面板８の起伏に伴い、内入板１０が前面板１の内側に沿ってスライドしつつ、抜差板９が出没して、振出口１２が開閉するようにした振出箱において、前記側面板２の上縁と天面板８の側縁とを折込片１３で繋ぎ、この折込片１３に天面板８の基端角を起点とする斜折線１４を設け、折込片１３を斜折線１４が谷となるように折り込み、天面板８を起こすと、内入板１０の側縁が折込片１３に当接して、内入板１０の抜け出しが防止されるようにしたことを特徴とする振出箱。
【発明の詳細な説明】
【技術分野】
【０００１】
この発明は、粒状の菓子等の内容物を振り出す開閉式の振出口を備えた振出箱に関するものである。
【背景技術】
【０００２】
従来より、この種の振出箱として、図４に示すように、前面板５１、一対の側面板５２及び後面板５３を連設して周壁をなし、後面板５３の上縁から天面板５４を延出して、その前縁に抜差板５５及び内入板５６を順次連設し、抜差板５５に振出口５７を設け、内入板５６の両側に抜止片５８を連設し、側面板５２の上縁から内折片５９を延出したものが知られている。
【０００３】
この振出箱では、天面板５４の起伏に伴い、内入板５６が前面板５１の内側沿いにスライドしつつ、抜差板５５が出没して、振出口５７が開閉し、天面板５４を起こしたとき、抜止片５８が内折片５９に当接して内入板５６が抜け止めされるようになっている（特許文献１参照）
【特許文献１】特開平６−３４５０８３号公報（図１乃至図３）
【発明の開示】
【発明が解決しようとする課題】
【０００４】
しかしながら、上記のような振出箱では、製函時に抜止片５８の折り曲げや挿入をするため、専用のサックマシンやカートニングマシンを用いたり、汎用機にアタッチメントを装着したりする必要があり、設備コストがかかるという問題がある。
【０００５】
また、ブランク状態において、抜止片５８が内入板５６の両側縁から張り出しているため、材料の板紙を効率的に使用できず、用紙の使用面積が大きくなるという問題もある。
【０００６】
そこで、この発明は、用紙を効率よく使用でき、汎用の包装機で製函できる振出箱を提供することを課題とする。
【課題を解決するための手段】
【０００７】
上記課題を解決するため、この発明は、前面板、一対の側面板及び後面板を連設して周壁をなし、後面板の上縁から天面板を延出して、その前縁に抜差板及び内入板を順次連設し、抜差板に振出口を設け、天面板の起伏に伴い、内入板が前面板の内側に沿ってスライドしつつ、抜差板が出没して、振出口が開閉するようにした振出箱において、前記側面板の上縁と天面板の側縁とを折込片で繋ぎ、この折込片に天面板の基端角を起点とする斜折線を設け、折込片を斜折線が谷となるように折り込み、天面板を起こすと、内入板の側縁が折込片に当接して、内入板の抜け出しが防止されるようにしたのである。
【発明の効果】
【０００８】
このような振出箱では、内入板の両側縁に抜止片を設けなくても、内入板が抜け出さないので、抜止片が不要となり、ブランクの打抜に際し、用紙を効率よく使用できる。
【０００９】
また、製函時に抜止片の折り曲げや挿入が不要となるので、汎用の包装機で製函でき、設備コストがかかることがない。
【００１０】
さらに、内容物を振り出す際、折込片により内容物が振出口の方向へ誘導されて、側方へこぼれることもないので、内容物の振り出しが容易になる。
【発明を実施するための最良の形態】
【００１１】
以下、この発明の実施形態を添付図面に基づいて説明する。
【００１２】
図１に示すブランクでは、前面板１の一側縁に側面板２、後面板３及び側面板２が順次連設され、他側縁に継代４が連設されている。後面板３の下縁には底面板５及び差込片６が順次連設され、側面板２の下縁には内折片７が連設されている。
【００１３】
後面板３の上縁には、天面板８、抜差板９及び内入板１０が順次連設され、抜差板９と内入板１０の連設部両側縁には窪み１１が設けられている。抜差板９の中央部には、振出口１２が設けられている。
【００１４】
側面板２の上縁と天面板８の側縁とは、端縁が弧状となった折込片１３で繋がれ、この折込片１３には、天面板８の基端角を起点として、側面板２の上縁及び天面板８の側縁に対し４５°傾斜した斜折線１４が設けられている。
【００１５】
上記のようなブランクを組み立てて粒状の菓子等の内容物を包装するには、図２に示すように、前面板１、一対の側面板２及び後面板３を角筒状に折り曲げ、継代４を反対側の側面板２に貼り付けて周壁をなし、内折片７を内側へ折り曲げ、底面板５を閉じ、差込片６を箱内に差し込んで底面を閉止する。
【００１６】
そして、内容物を収納した状態で、折込片１３を斜折線１４が谷となるように折り込みつつ、天面板８を閉じ、抜差板９及び内入板１０を前面板１の内側沿いに箱内に差し込んで、天面を封緘する。
【００１７】
一方、この振出箱から内容物を振り出す際には、図３に示すように、天面板８を引き起こすことにより、抜差板９を前面板１の上縁から迫り上がらせて、振出口１２を露出させる。このとき、内入板１０の両側縁の窪み１１が折込片１３に当接して、天面板８の起立角度が制限されるので、内入板１０の抜け出しが防止される。
【００１８】
したがって、上記振出箱では、従来のもののように、内入板１０の両側縁に抜止片を設けなくても、内入板１０が抜け出すことがなく、製造工程でのブランクの打抜に際し、用紙に対してブランクを高密度に配置でき、用紙の使用量を削減することができる。
【００１９】
また、製函時に抜止片の折り曲げや挿入が不要となるので、専用のカートニングマシンやアタッチメントを要することなく、一般に使用されている汎用の包装機で製函でき、設備コストがかかることがない。
【００２０】
さらに、内容物を振り出す際、折込片１３により内容物が振出口１２の方向へ誘導されて、側方へこぼれることもないので、内容物を容易に振り出すことができ、使用者の使い勝手が向上する。
【図面の簡単な説明】
【００２１】
【図１】この発明の実施形態に係る振出箱のブランクを示す図
【図２】同上の包装時の状態を示す斜視図
【図３】同上の振出時の状態を示す斜視図
【図４】従来の振出箱を示す斜視図
【符号の説明】
【００２２】
１  前面板
２  側面板
３  後面板
４  継代
５  底面板
６  差込片
７  内折片
８  天面板
９  抜差板
１０  内入板
１１  窪み
１２  振出口
１３  折込片
１４  斜折線
【図１】
2005132389.tif 000003
【図２】
2005132389.tif 000004
【図３】
2005132389.tif 000005
【図４】
2005132389.tif 000006